(57)【特許請求の範囲】
【請求項１】
略方形板状の実装基板と、前記実装基板上に設けられたアース電極と、前記実装基板上の角部に設けられ前記アース電極を非配置としたアンテナ実装領域と、前記アンテナ実装領域に実装されたチップアンテナとを備え、前記チップアンテナに設けられた端子部を直接或いは接合材を介して前記実装基板に電気的に接合したチップアンテナ実装基板であって、
前記実装基板の一辺に対してチップアンテナの傾斜角度Ｐを２０度＜Ｐ＜７０度として取り付けると共に、前記チップアンテナに対する前記アース電極の距離関係を前記チップアンテナの長手方向に対して同一にしたことを特徴とするチップアンテナ実装基板。
【請求項２】
アンテナ実装領域内に給電用のランドを設け、前記ランドとチップアンテナの端子部を電気的に接合したことを特徴とする請求項１記載のチップアンテナ実装基板。
【請求項３】
アンテナ実装領域を略四角形状としたことを特徴とする請求項１記載のチップアンテナ実装基板。
【請求項４】
アンテナ実装領域を略三角形状としたことを特徴とする請求項１記載のチップアンテナ実装基板。
【請求項５】
アンテナ実装領域を略扇形状としたことを特徴とする請求項１記載のチップアンテナ実装基板。
【請求項６】
前記チップアンテナと前記アース電極との最短距離Ｍ１は、前記チップアンテナの受信或いは送信可能な信号の波長をλとした時、０．０３λ≦Ｍ１≦１．３λを満たすことを特徴とする請求項１記載のチップアンテナ実装基板。
【請求項７】
前記チップアンテナの中央部と前記アース電極との最短距離Ｍ２は、前記チップアンテナの受信或いは送信可能な電波の波長をλとした時、０．０３λ≦Ｍ２≦１．３λを満たすことを特徴とする請求項１記載のチップアンテナ実装基板。
【請求項８】
前記チップアンテナは、基台と、前記基台の側面上に設けられた導電膜と、前記基台及び導電膜に設けられたヘリカル状の溝と、前記導電膜上に設けられた保護材と、前記基台の両端の端面上にそれぞれ形成された端子部とを備えることを特徴とする請求項１記載のチップアンテナ実装基板。
【請求項９】
音声を音声信号に、あるいはデータをデータ信号に変換する信号変換手段と、電話番号等を入力する操作手段と、着信表示や電話番号等を表示する表示手段と、音声信号あるいはデータ信号を変調して送信信号に変換する送信手段と、受信信号を音声あるいはデータ信号に変換する受信手段と、前記送信信号か前記受信信号を送信または受信の少なくとも一方を行うアンテナと、各部を制御する制御手段を備えた移動体通信装置であって、請求項１〜８いずれか１記載のチップアンテナ実装基板を有するとともに、前記チップアンテナ実装基板上に実装されたチップアンテナをアンテナとして用いたことを特徴とする移動体通信装置。
【請求項１０】
基地局との間で信号の送受信を行う第１のアンテナと、前記第１のアンテナで送受信した信号をデータ信号に変換する第１の送受信部と、近傍に設けられた携帯端末装置との間で信号の送受信を行う第２のアンテナと、前記第２のアンテナで送受信した信号をデータ信号に変換する第２の送受信部と、各部を制御する制御部とを備えた移動体通信装置であって、請求項１〜８いずれか１記載のチップアンテナ実装基板を有するとともに、前記チップアンテナ実装基板上に実装されたチップアンテナを第１及び第２のアンテナとして用いたことを特徴とする移動体通信装置。
【請求項１１】
請求項１０記載の移動体通信装置と、前記移動体通信装置との間でデータの送受信を行う携帯端末装置と、前記移動体通信装置との間でデータもしくは音声信号のやり取りを行う基地局と、前記基地局と公衆回線で結ばれたサーバーと、前記サーバーと回線を介して接続された情報網と、前記情報網と接続された特定或いは不特定のユーザー又はプロバイダを有するユーザー等とを有することを特徴とするデータの送受信システム。
【発明の詳細な説明】
【０００１】
【発明の属する技術分野】
本発明は、移動体通信などの無線通信を行う電子機器等に好適に用いられるチップアンテナ実装基板及び移動体通信装置に関するものである。
【０００２】
【従来の技術】
ロッド型のアンテナや平面アンテナは、移動体通信用のアンテナとして一般的に用いられているが、近年、チップ型のアンテナが注目されてきている。このようなチップアンテナは、携帯電話などの基板に直接実装でき、外部に大きく突出せず、装置の小型化を実現できる。
【０００３】
先行例としては、特開平９−６４６２７号公報，特開平９−７４３０９号公報等がある。
【０００４】
図９は従来のチップアンテナ実装基板を示す図である。図９において、１００は基板、１０１は基板１００上に設けられたアース電極で、アース電極１０１の基板１００の角部付近の一部には非配設となっている。１０２は基板１００上に実装されたチップアンテナで、チップアンテナ１０２はアース電極１０１の非配置となっている部分に面実装技術などで接合されている。
【０００５】
【発明が解決しようとする課題】
しかしながら以上のような構成では、チップアンテナ１０２は、搭載される機器の基板１００上に、基板１００の一辺に対してチップアンテナ１０２の長手方向の一稜を垂直又は、水平に取り付けるが、そのアンテナ特性が基板１００のアース電極１０１に影響を受けチップアンテナ１０２の感度があまり高くなく、機器に搭載したときに性能にバラツキが生じやすいと言う問題点があり、これを解決するために、機器側で、アンテナ特性の調整などを行わなければならないなどの問題点があった。そのため、機器の生産性が悪くなるという課題があった。
【０００６】
また、上記チップアンテナ実装基板を移動体通信装置などに搭載した場合にもアンテナ特性の不具合が生じることがあった。すなわち、チップアンテナ１０２では、ほぼ移動体通信装置の筐体上或いは筐体内に設けられるので、手などで移動体通信装置の側方（一般的にキー，操作ボタン，表示部などが非配置となっている幅の狭い側面）を覆うことで、アンテナ特性の劣化が生じることがあった。ホイップアンテナなどは筐体外に突出させることができるので、上述の様な不具合は生じにくい。
【０００７】
本発明は、上記従来の課題を解決するもので、アンテナ設置位置を最適化することでアンテナ特性を向上させ、搭載される機器の生産性を向上させることができるチップアンテナ実装基板及び移動体通信装置を提供することを目的とする。
【０００８】
【課題を解決するための手段】
本発明は、略方形板状の実装基板と、前記実装基板上に設けられたアース電極と、前記実装基板上の角部に設けられ前記アース電極を非配置としたアンテナ実装領域と、前記アンテナ実装領域に実装されたチップアンテナとを備え、前記チップアンテナに設けられた端子部を直接或いは接合材を介して前記実装基板に電気的に接合したチップアンテナ実装基板であって、前記実装基板の一辺に対してチップアンテナの傾斜角度Ｐを２０度＜Ｐ＜７０度として取り付けると共に、前記チップアンテナに対する前記アース電極の距離関係を前記チップアンテナの長手方向に対して同一にした。
【０００９】
【発明の実施の形態】
請求項１記載の発明は、略方形板状の実装基板と、前記実装基板上に設けられたアース電極と、前記実装基板上の角部に設けられ前記アース電極を非配置としたアンテナ実装領域と、前記アンテナ実装領域に実装されたチップアンテナとを備え、前記チップアンテナに設けられた端子部を直接或いは接合材を介して前記実装基板に電気的に接合したチップアンテナ実装基板であって、前記実装基板の一辺に対してチップアンテナの傾斜角度Ｐを２０度＜Ｐ＜７０度として取り付けると共に、前記チップアンテナに対する前記アース電極の距離関係を前記チップアンテナの長手方向に対して同一にしたことを特徴とするチップアンテナ実装基板とすることで、移動体通信装置内において、チップアンテナが傾斜して固定されることになるので、手などによるアンテナ特性の劣化を防止でき、最もアース電極の影響の少ない角部にチップアンテナを実装することで、アンテナ特性を向上させることができ、チップアンテナを精度良く傾斜させて実装基板上に実装でき、特性のバラツキを抑えることができ、しかも移動体通信装置内の固定が精度良く行え、良好なアンテナ特性を得ることができる。
【００１０】
請求項２記載の発明は、アンテナ実装領域内に給電用のランドを設け、前記ランドとチップアンテナの端子部を電気的に接合したことを特徴とする請求項１記載のチップアンテナ実装基板とすることで、給電用の線路を別途設けなくても良いので、線路が実装基板からはみ出したりすることはなく、小型化することができる。
【００１１】
請求項３記載の発明は、アンテナ実装領域を略四角形状とした請求項１記載のチップアンテナ実装基板とすることで、チップアンテナ側部にアンテナ特性の劣化の原因となるアース電極を近接して配置することを防止できるので、特性が向上する。
【００１２】
請求項４記載の発明は、アンテナ実装領域を略三角形状とした請求項１記載のチップアンテナ実装基板とすることで、チップアンテナ側部にアンテナ特性の劣化の原因となるアース電極を近接して配置することを防止できるので、特性が向上する。
【００１３】
請求項５記載の発明は、アンテナ実装領域を略扇形状とした請求項１記載のチップアンテナ実装基板とすることで、チップアンテナ側部にアンテナ特性の劣化の原因となるアース電極を近接して配置することを防止できるので、特性が向上する。
【００１４】
請求項６記載の発明は、前記チップアンテナと前記アース電極との最短距離Ｍ１は、前記チップアンテナの受信或いは送信可能な信号の波長をλとした時、０．０３λ≦Ｍ１≦１．３λを満たすことを特徴とするとする請求項１記載のチップアンテナ実装基板とすることで、アンテナ特性や実装基板の小型化の面で有利である。
【００１５】
請求項７記載の発明は、前記チップアンテナの中央部と前記アース電極との最短距離Ｍ２は、前記チップアンテナの受信或いは送信可能な電波の波長をλとした時、０．０３λ≦Ｍ２≦１．３λを満たすことを特徴とする請求項１記載のチップアンテナ実装基板とすることで、アンテナ特性や実装基板の小型化の面で有利である。
【００１６】
請求項８記載の発明は、前記チップアンテナは、基台と、前記基台の側面上に設けられた導電膜と、前記基台及び導電膜に設けられたヘリカル状の溝と、前記導電膜上に設けられた保護材と、前記基台の両端の端面上にそれぞれ形成された端子部とを備えることを特徴とする請求項１記載のチップアンテナ実装基板とすることで、長期間安定した特性を得ることができる。
【００１７】
請求項９記載の発明は、音声を音声信号に、あるいはデータをデータ信号に変換する信号変換手段と、電話番号等を入力する操作手段と、着信表示や電話番号等を表示する表示手段と、音声信号あるいはデータ信号を変調して送信信号に変換する送信手段と、受信信号を音声あるいはデータ信号に変換する受信手段と、前記送信信号か前記受信信号を送信または受信の少なくとも一方を行うアンテナと、各部を制御する制御手段を備えた移動体通信装置であって、請求項１〜８いずれか１記載のチップアンテナ実装基板を有するとともに、前記チップアンテナ実装基板上に実装されたチップアンテナをアンテナとして用いたことを特徴とする移動体通信装置とすることによって、特性がよくしかも面実装可能なアンテナを搭載することによって、小型で高性能な装置を提供できる。
【００１８】
請求項１０記載の発明は、基地局との間で信号の送受信を行う第１のアンテナと、前記第１のアンテナで送受信した信号をデータ信号に変換する第１の送受信部と、近傍に設けられた携帯端末装置との間で信号の送受信を行う第２のアンテナと、前記第２のアンテナで送受信した信号をデータ信号に変換する第２の送受信部と、各部を制御する制御部とを備えた移動体通信装置であって、請求項１〜８いずれか１記載のチップアンテナ実装基板を有するとともに、前記チップアンテナ実装基板上に実装されたチップアンテナを第１及び第２のアンテナとして用いたことを特徴とする移動体通信装置とすることによって、特性がよくしかも面実装可能なアンテナを搭載することによって、小型で高性能な装置を提供できる。
【００１９】
請求項１１記載の発明は、請求項１０記載の移動体通信装置と、前記移動体通信装置との間でデータの送受信を行う携帯端末装置と、前記移動体通信装置との間でデータもしくは音声信号のやり取りを行う基地局と、前記基地局と公衆回線で結ばれたサーバーと、前記サーバーと回線を介して接続された情報網と、前記情報網と接続された特定或いは不特定のユーザー又はプロバイダを有するユーザー等とを有するデータの送受信システムとすることで、安定な通信システムを構築することができる。
【００２０】
以下、本発明におけるチップアンテナ実装基板及びそれを備えた移動体通信装置の実施の形態について説明する。
【００２１】
図１は本発明の一実施の形態におけるチップアンテナ実装基板を示す図である。
【００２２】
図１において、１はチップアンテナで、チップアンテナ１としては、ヘリカル状や帯状の導電膜を設けたアンテナ素子部を形成したり、ヘリカル状に導体線を巻回したアンテナ素子部等の構成を基台の表面に形成したものや、積層技術などを用いてヘリカル状或いは帯状のアンテナ素子の少なくとも一部を基台に埋設したものなどが用いられる。すなわち、チップアンテナ１に設けられた一つ或いは複数の端子部が、基板上に設けられたランドなどと直接或いは半田や鉛フリー半田などを介して接合されるものである。
【００２３】
２は実装基板で、実装基板２はガラスエポキシ樹脂，セラミック等の絶縁性材料で構成されている。実装基板２は単基板で構成されたり、或いは複数の基板を積層して構成されている。実装基板２の表面には銅などの導電性材料で配線パターンが形成されている。また、実装基板２が積層基板の場合には、基板間に配線パターンやキャパシタやインダクタ等がパターン形成されている。
【００２４】
実装基板２上には、チップアンテナ１以外にも図示していないが、抵抗器，コンデンサ，インダクタ，半導体の少なくとも一つが単数或いは複数実装されている。
【００２５】
実装基板２の一面には、一部に非配置となる様にアース電極７が形成されている。すなわち、実装基板２の一面にはアース電極７が設けられている領域と、アース電極７が設けられていないアンテナ実装領域４が設けられている。アンテナ実装領域４には、チップアンテナ１が実装される一つ或いは複数のランドが設けられており、このランドとチップアンテナ１の端子部が電気的に接合している。ランドの種類としては、給電用のランドやチップアンテナ固定用ランド等が挙げられる。
【００２６】
アンテナ実装領域４の形成法としては、先ず実装面の一面上にアース電極７を全面或いは所定の範囲に形成した後に、研磨加工，切削加工，トリミングなどの手法を用いて、アース電極７の一部を取り除き、その後に、アース電極７を取り除いた部分に給電用のランドなどを別工程で設けたり、あるいは、アース電極７を取り除くときに、給電用のランドが残留するようにすることなどが挙げられる。また。アース電極７を形成する際に、予めパターニングなどによって、アース電極７、アンテナ実装領域４、給電用のランドなどを一括して構成することもできる。
【００２７】
このアンテナ実装領域４において、チップアンテナ１は傾斜して実装されている。この様に傾斜してチップアンテナ１を実装基板２上に実装することで、この実装基板２を移動体通信装置などに搭載した場合にアンテナ特性が劣化することを防止できる。すなわち、一般に実装基板２は周縁部に切欠部が存在したり或いは円弧部が設けられていても、外形を見ると略方形状となっている。従って、チップアンテナ１を傾斜して実装基板２に取り付けるとは、チップアンテナ１の両端面と実装基板２の外形線が非平行となるように取り付けられることを意味する。更に、換言すると、チップアンテナ１の側面が実装基板２の外形線と非平行だとも言える。更に、換言すると、チップアンテナ１の長手方向に実装基板２の角部が存在するとも言える。
【００２８】
この様に実装基板２に対して、傾斜してチップアンテナ１を取り付けることで、この実装基板２を移動体通信装置などに配置すると、移動体通信装置の筐体の側面と例えば実装基板２の一辺２ｃが略並行になるように、実装基板２が筐体内に収納されるので、人の手で移動体通信装置をつかんだとしても、チップアンテナ２は、移動体通信装置内に傾斜して配置されることになるので、チップアンテナ１の電波の放射方向は移動体通信装置の筐体側面と非垂直となるので電波の放射等が人の手で妨害されることなく、安定した特性を得ることができる。なお、チップアンテナ１の実装基板２に対する傾斜角度Ｐは、例えば、実装基板２の一辺２ｄと平行な線（図１に示す点線）でいえば、０度＜Ｐ＜９０度、好ましくは２０度＜Ｐ＜７０度、更に好ましくは３０度＜Ｐ＜６０度、最も好ましいのは４２度＜Ｐ＜４８度である。本実施の形態ではＰ＝略４５度とした。
【００２９】
また、図１に示すように、アンテナ実装領域４は、実装基板２の二辺２ｃ，２ｄの交差する端点３よりそれぞれ、長さ２ａ、２ｂなる四角形の領域とした場合には、更に特性を向上させることができる。この時、領域を形成する長さ２ａ、２ｂはチップアンテナ１の長手方向の長さに対して十分な長さをとる。好ましくは２ａ＝２ｂである。チップアンテナ１はグランド電極を持たず、実装基板２のアース電極７との間隔がその特性に大きく影響を及ぼす。上述の通り、アンテナ実装領域４を略四角形状とすることで、チップアンテナ１の電波照射方向である側方にアース電極７が近接して存在しない構成となるので、特性の劣化を抑えることができる。
【００３０】
従来の技術の様に、チップアンテナ１の長手方向の一稜に平行にアース電極７が迫った実装基板２ではアンテナの指向特性の長手方向に垂直な面が影響を受ける。つまり、アース電極７が接近している面内の指向性は抑圧され、逆にアース電極７が無い面内の指向性が強くなり、結果受信感度が劣化する。そこで、本発明のようチップアンテナ１に対する実装基板２のアース電極７の距離関係をチップアンテナ１の長手方向に対して同一にすることで、チップアンテナ１の長手方向に垂直な面内の指向性は左右均等になり、且つ、水平面内の指向性も良好になる。全体として良好なアンテナ特性が得られる。
【００３１】
（表１）、（表２）にアンテナの利得とその測定軸を表す図を示す。（表１）は本発明の一実施の形態におけるチップアンテナの実装基板である。その測定軸は図８に示す。
【００３２】
【表１】
0003772723.tif 000002
【００３３】
（表２）は従来の実装位置のチップアンテナ実装基板を示す。その測定軸は図９に示す。
【００３４】
【表２】
0003772723.tif 000003
【００３５】
（表１）、（表２）に示すとおり、チップアンテナ１を斜めに実装することでアンテナの利得が約０．５ｄＢｉ向上することがわかる。
【００３６】
次に、本発明の他の実施の形態を説明する。
【００３７】
図２は本発明の別な実施の形態におけるチップアンテナ実装基板を示す図である。
【００３８】
図１に示すチップアンテナ実装基板と異なるのは、アンテナ実装領域４が三角形状に形成されている点である。
【００３９】
この様な構成においても、上述の実施の形態と同様に、チップアンテナ側方近傍にアース電極７を非配置とすることができるので、アンテナ特性を向上させることができる。言い換えれば、実装基板２の辺２ｃ，２ｄに渡って直線的に形成されたアース電極７の縁部４ａにチップアンテナ１の一方の端部が最も近くなるようにチップアンテナ１を配置している。
【００４０】
この時、アンテナ実装領域４を形成する長さ２ｅ、２ｆはチップアンテナ１を実装した際、チップアンテナ１とアンテナ実装領域４に接するアース電極７の縁部４ａと接しない十分な長さをとる。好ましくは２ｅ＝２ｆである。
【００４１】
更に、図３に示すように、扇形に、アンテナ実装領域４を形成しても良い。すなわちアース電極７とアンテナ実装領域４との境界部であるアース電極７の縁部は円弧型とした。本実施の形態では、実装基板２の角部が略直角なので、１／４円とした。この時、アンテナ実装領域４を形成する長さ２ｇの１／４円の半径はチップアンテナを実装した際、チップアンテナの長手方向の一稜１ａの長さに対して十分な長さをとる。
【００４２】
この様な構成により上述と同様の効果を得ることができる。
【００４３】
なお、チップアンテナ１とアース電極７との最短距離（図１〜図３に示すＭ１）は、チップアンテナ１の受信或いは送信可能な信号の波長をλとした時、０．０３λ≦Ｍ１≦１．３λとすることが好ましい。Ｍ１が０．０３λより狭いとアンテナ特性が十分でなく、１．３λより大きいと、アース電極７の形成面積が小さくなってしまい、実装基板２の小型化が難しい。また、移動体通信装置等のサイズ等を考慮すると、Ｍ１の具体的な大きさとしては、０．５ｍｍ≦Ｍ１≦２０．０ｍｍとした方がアンテナ特性や実装基板２の小型化の面で有利である。
【００４４】
更に、特性に最も関係するチップアンテナ１の中央部とアース電極７との最短距離（図１〜図３に示すＭ２）は、チップアンテナ１の受信或いは送信可能な電波の波長をλとした時、０．０３λ≦Ｍ２≦１．３λとすることが好ましい。Ｍ２が０．０３λより狭いとアンテナ特性が十分でなく、１．３λより大きいと、アース電極７の形成面積が小さくなってしまい、実装基板２の小型化が難しい。また、移動体通信装置等のサイズ等を考慮すると、Ｍ２の具体的な大きさとしては、２．０ｍｍ≦Ｍ２≦２０．０ｍｍとした方がアンテナ特性や実装基板２の小型化の面で有利である。
【００４５】
以下、本実施の形態に用いたチップアンテナの一例を説明する。
【００４６】
図４において、１１は絶縁材料などをプレス加工，押し出し法等を施して構成されている基台、１２は基台１１の上に設けられている導電膜で、導電膜１２は、メッキ法やスパッタリング法等の蒸着法等によって基台１１の側面上に形成される。１３は基台１１及び導電膜１２に設けられた溝で、溝１３は、レーザ光線等を導電膜１２に照射することによって形成したり、導電膜１２に砥石等を当てて機械的に形成されたり、レジストなどを用いた選択的エッチングによって形成されている。この溝１３はスパイラル状に設けることによって、導電膜１２にヘリカル状の導電膜１２が形成されることになる。また、溝１３は、好ましくは基台１１と導電膜１２の双方に形成した方が好ましく、この様な構成によって、完全に導電膜１２を切断することができ、特性劣化を防止できる。１４は導電膜１２上に設けられた保護材、１５，１６はそれぞれ基台１１の端面上にそれぞれ端子電極が形成された端子部で、端子部１５と端子部１６の間には、溝１３が設けられている。
【００４７】
この様な構成によって、ヘリカル状の溝１３に導電膜１２を形成することで、ヘリカル状の導電膜１２（アンテナ素子部）を形成できるので、非常に生産性が良く、しかも、溝１３の幅やスパイラル状の導電膜１２の幅などを適宜設定することで、特性の調整も容易になり、しかも上記構成に加えて、端子部１５，１６の断面を正多角形状或いは円形状とすることで、端子部１５，１６におけるどの側面を実装面としても、また、端子部１５，１６のいずれを給電部として用いても特性に変化が無く、すなわち、方向性が存在しないので、実装性が飛躍的に向上する。また、導電膜１２は基台１１に固着しているので、本発明品を使用している途中で、ヘリカル状の導電膜のピッチが変わったりすることがないので、長期間安定した特性を得ることができる。
【００４８】
なお、図中では、ヘリカル状の導電膜１２の幅やピッチが均等の場合について記載しているが、必ずしも均等である必要はなくアンテナ素子部の中心に対して、ほぼ対称に導電膜１２の幅やピッチを変化させても良い。
【００４９】
また、本実施の形態のチップアンテナは、実用周波数帯域が０．７〜６．０ＧＨｚと高周波領域に対応し、そのチップアンテナの長さＬ１，高さＬ２，幅Ｌ３は以下の通りとなっていることが好ましい。
【００５０】
Ｌ１＝４．０〜４０．０ｍｍ
Ｌ２＝０．５〜５．０ｍｍ
Ｌ３＝０．５〜５．０ｍｍ
Ｌ１が４．０ｍｍ以下であると、必要とするインダクタンス値、すなわち所望の周波数でのアンテナ動作を得ることができない。また、Ｌ１が４０．０ｍｍを超えてしまうと、素子自体が大きくなってしまい、電子回路等が形成された基板など（以下回路基板等と略す）回路基板等の小型化ができず、ひいてはその回路基板等を搭載した電子機器等の小型化を行うことができない。また、Ｌ２，Ｌ３それぞれが０．５ｍｍ以下であると、素子自体の機械的強度が弱くなりすぎてしまい、実装装置などで、回路基板等に実装する場合に、素子折れ等が発生することがある。また、Ｌ２，Ｌ３が５．０ｍｍ以上となると、素子が大きくなりすぎて、回路基板等の小型化、ひいては装置の小型化を行うことができない。
【００５１】
なお、本実施の形態では、アンテナ素子部としては、導電膜１２をヘリカル状としたものを用いたが、導線などの線状体を基台の側面に巻き付けた構成としても良い。このように構成することで、導線の損失は導電膜に比べて小さいので、アンテナ利得を向上させることができる。
【００５２】
図５及び図６はそれぞれ本発明の一実施の形態における移動体通信装置を示す斜視図及びブロック図である。図５及び図６において、２９は音声を音声信号に変換するマイク、３０は音声信号を音声に変換するスピーカー、３１はダイヤルボタン等から構成される操作部、３２は着信等を表示する表示部、３３は公衆回線などと接続された基地局との間で電波のやり取りを行うアンテナ、３４はマイク２９からの音声信号を復調して送信信号に変換する送信部で、送信部３４で作製された送信信号は、アンテナ３３を通して外部に放出される。３５はアンテナ３３で受信した受信信号を音声信号に変換する受信部で、受信部３５で作成された音声信号はスピーカー３０にて音声に変換される。３６はアンテナで、アンテナ３６は、図示していないデスクトップコンピュータ，モバイルコンピュータ等の携帯端末装置との間で電波のやり取りを行い、図１，２，３等に示される実装基板２上に実装されたチップアンテナ１である。３７はデータ信号をデータ送信信号に変換し、そのデータ送信信号をアンテナ３６を介して送信する送信部、３８はアンテナ３６を介して受信したデータ受信信号をデータ信号に変換する受信部、３９は送信部３４，受信部３５，操作部３１，表示部３２，送信部３７，受信部３８を制御する制御部である。
【００５３】
この移動体通信装置のケース内部には、図１〜図３に示すチップアンテナ実装基板が設けられる。チップアンテナ実装基板には、前述の通り、チップアンテナ１以外に、その他の電子部品や半導体などが実装されることによって、上述の各部もしくは、各部の一部を構成することで、チップアンテナ実装基板を多機能とすることで、移動体通信装置の小型化を行うことができる。
【００５４】
なお、本実施の形態では、（１）アンテナ３３をヘリカルアンテナやホイップアンテナ等を用い、アンテナ３６を図１，２，３等に示す実装基板２上に形成されたチップアンテナ１としてもよいし、（２）アンテナ３３及びアンテナ３６の双方を同じく図１，２，３等に示す実装基板２上に実装されたチップアンテナ１としても良い。上記（１）の場合には、チップアンテナ実装基板に一つのチップアンテナ１を設けた構成であり、（２）の場合には、一つの実装基板２上に２つのチップアンテナ１を設けたり、或いは、一つの実装基板２上に一つのチップアンテナ１を実装したチップアンテナ実装基板を２つ移動体通信装置のケース内に収納しても良い。
【００５５】
更に、図６に示すアンテナ３６，送信部３７，受信部３８を設けずに、アンテナ３３を図１，２，３等に示す実装基板２上に実装されたチップアンテナ１とした移動体通信装置にしても良い。
【００５６】
以下図５，６に示す移動体通信装置のその動作の一例について説明する。
【００５７】
先ず、着信があった場合には、受信部３５から制御部３９に着信信号を送出し、制御部３９は、その着信信号に基づいて、表示部３２に所定のキャラクタ等を表示させ、更に操作部３１から着信を受ける旨のボタン等が押されると、信号が制御部３９に送出されて、制御部３９は、着信モードに各部を設定する。即ちアンテナ３３で受信した信号は、受信部３５で音声信号に変換され、音声信号はスピーカー３０から音声として出力されると共に、マイク２９から入力された音声は、音声信号に変換され、送信部３４を介し、アンテナ３３を通して外部に送出される。
【００５８】
次に、発信する場合について説明する。
【００５９】
まず、発信する場合には、操作部３１から発信する旨の信号が、制御部３９に入力される。続いて電話番号に相当する信号が操作部３１から制御部３９に送られてくると、制御部３９は送信部３４を介して、電話番号に対応する信号をアンテナ３３から送出する。その送出信号によって、相手方との通信が確立されたら、その旨の信号がアンテナ３３を介し受信部３５を通して制御部３９に送られると、制御部３９は発信モードに各部を設定する。即ちアンテナ３３で受信した信号は、受信部３５で音声信号に変換され、音声信号はスピーカー３０から音声として出力されると共に、マイク２９から入力された音声は、音声信号に変換され、送信部３４を介し、アンテナ３３を通して外部に送出される。
【００６０】
図７は本発明の一実施の形態における移動体通信装置を用いたシステムを示す図であり、図７において、２００は図５，６に示す無線端末装置、２０１は無線端末装置２００との間でデータのやり取りを行う携帯端末装置、２０２は無線端末装置２００と通信を行う基地局で、無線端末装置２００は直接基地局２０２と通信を行ったり、時には地球の周りを回っている通信衛星を介して、基地局２０２と通信を行う。２０３は基地局２０２と公衆回線２０４を介して接続されたサーバー（好ましくは通信サーバー）で、サーバー２０３は公衆回線２０４や専用回線等の回線２０５を介してインターネット等の情報網２０６と接続されている。２０７は情報網２０６と接続されたユーザー等で、ユーザー等２０７とは、プロバイダや特定或いは不特定のユーザー等を示す。
【００６１】
携帯端末装置２０１は、無線端末装置２００と電波のやり取りを行うアンテナ２０１ａが設けられており、このアンテナ２０１ａとしては、図１，２，３等に示すような実装配置のチップアンテナ１を用いるのが好ましく、チップアンテナ１は携帯端末装置２０１のケース内に内蔵されているか、或いは、携帯端末装置２０１に接続される通信カードに設けられている。２０１ｂはアンテナ２０１ａで受信した受信信号を受信データ信号に変換したり、或いは、携帯端末装置２０１が送ろうとする送信データを送信信号に変換したりする。２０１ｃは入力手段で、入力手段２０１ｃとしてはキーボード，手書き入力装置，音声入力装置等で構成され、外部へ送ろうとするデータなどの入力を行う。２０１ｄは表示手段で、送られてきたデータを表示したり、或いは入力手段２０１ｃで入力されたデータなどを表示する。表示手段２０１ｄとしては、液晶ディスプレー，ＣＲＴディスプレー，有機ＥＬディスプレー，プラズマディスプレー等が好適に用いられる。２０１ｅは送られてきたデータなどを記憶する記憶手段で、記憶手段２０１ｅとしては、ハードディスクドライブ、フロッピーディスクドライブ、ＤＶＤドライブ，光磁気ディスクドライブ，ＣＤ−Ｒドライブ，ＣＤ−ＲＷドライブ等の光ディスクドライブ等のデータの記憶、読み出し可能なものが好適に用いられる。２０１ｆはデータ読み出し専用の外部記憶手段で、ＣＤ−ＲＯＭドライブ、ＤＶＤ−ＲＯＭドライブ等の読み出し専用のドライブが好適に用いられる。２０１ｇは各部を制御する制御手段である。
【００６２】
以下、通信方法について、一例を説明する。
【００６３】
先ず、無線端末装置２００とサーバー２０３の間に通信を確立させる。
【００６４】
携帯端末装置２０１の入力手段２０１ｃ等から入力されたデータは、送信データ信号として、送受信部２０１ｂに送られ、送受信部２０１ｂで送信信号に変換され、アンテナ２０１ａを介して近傍に配置された（半径約１０ｍ以内）無線端末装置２００に送られる。無線端末装置２００では、図示していないアンテナ３６にてその送信信号を受信し、受信部３８にて受信データ信号に変換される。その受信データ信号は制御部３９を介して、送信部３４に送られ、送信部３４にて、送信信号に変換され、アンテナ３３から電波として送信され、基地局２０２，サーバー２０３を介して、情報網２０６に接続されユーザー等２０７に携帯端末装置２０１で入力されたデータが送信される。
【００６５】
更に、ユーザー等２０７からデータ送信されると、情報網２０６、サーバー２０３、基地局２０２を介して無線端末装置２００にデータ送信信号が送られてくる。無線端末装置２００はアンテナ３３でそのデータ送信信号を受信すると、受信部３５で受信し、その受信した信号を音声に変換するかどうかを判断する。この時、音声信号へ変換する信号であれば、直接スピーカー３０から音を出し、データ信号として、携帯端末装置２０１に送るものであれば、制御部３９を介して、送信部３７に送られる。送信部３７では、データ信号をデータ送信信号に変換し、アンテナ３６を介して、送信し、その送信信号がアンテナ２０１ａで受信されると、送受信部２０１ｂにてデータ信号に変換され、制御手段２０１ｇで、そのデータ信号に対応したキャラクタなどを表示手段２０１ｄに表示したり、或いは記憶手段２０１ｅに記憶させる。
【００６６】
【発明の効果】
本発明は、実装基板と、実装基板上に設けられたアース電極と、実装基板上に設けられアース電極を非配置としたアンテナ実装領域と、アンテナ実装領域に実装されたチップアンテナとを備え、チップアンテナに設けられた端子部を直接或いは接合材を介して実装基板に電気的に接合したチップアンテナ実装基板であって、実装基板に対してチップアンテナを傾斜して取り付けたことで、移動体通信装置内において、チップアンテナが傾斜して固定されることになるので、手などによるアンテナ特性の劣化を防止できる。
【図面の簡単な説明】
【図１】本発明の一実施の形態におけるチップアンテナ実装基板を示す図
【図２】本発明の別な実施の形態におけるチップアンテナ実装基板を示す図
【図３】本発明のさらに別な実施の形態におけるチップアンテナ実装基板を示す図
【図４】本発明の実施の形態に使用したチップアンテナを示す斜視図
【図５】本発明の一実施の形態における移動体通信装置を示す斜視図
【図６】本発明の一実施の形態における移動体通信装置を示すブロック図
【図７】本発明の一実施の形態における移動体通信装置を用いたシステムを示す図
【図８】本発明の一実施の形態におけるチップアンテナ実装基板の測定軸を示す図
【図９】従来のチップアンテナ実装基板を示す図
【符号の説明】
１  チップアンテナ
２  実装基板
３  端点
４  アンテナ実装領域
１１  基台
１１Ｚ  段差部
１２  導電膜
１３  溝
１４  保護材
１５，１６  端子部
３０  スピーカー
３１  操作部
３２  表示部
３３，３６  アンテナ
３４，３７  送信部
３５，３８  受信部
３９  制御部
２００  無線端末装置
２０１  携帯端末装置
２０２  基地局
２０３  サーバー
２０４  公衆回線
２０５  回線
２０６  情報網
２０７  ユーザー等
【図１】
0003772723.tif 000004
【図２】
0003772723.tif 000005
【図３】
0003772723.tif 000006
【図４】
0003772723.tif 000007
【図５】
0003772723.tif 000008
【図６】
0003772723.tif 000009
【図７】
0003772723.tif 000010
【図８】
0003772723.tif 000011
【図９】
0003772723.tif 000012